(57)【要約】【課題】プリセットメモリを有効に使用することで、プリセットメモリにユーザが希望する放送ジャンルの放送局データを優先的に蓄積して利便性を提供する。【解決手段】制御手段３は、復調された放送番組の受信電界強度を検出し、検出された受信電界強度が所定値を越えたときに、放送番組に含まれる放送ジャンル識別情報が視聴を希望する放送ジャンルと一致するか否かを判定し、一致したとき、その放送局データをプリセットメモリに優先的に格納し、受信可能な周波数帯域における全ての周波数に基づくサーチが終了したことを契機に、プリセットメモリに格納された放送局データを電界強度の高い順に並べ替えて更新し、更新されたプリセットメモリに格納された放送局データに従い選局を行う。【選択図】図１
2007243708.tif 000002
【特許請求の範囲】
【請求項１】
放送番組に放送ジャンル識別情報が多重化されて放送される多重放送に関し、受信可能な周波数帯内で受信周波数を順次変更し、受信状態の良好な放送局を順次サーチしてプリセットメモリに格納するオートストア機能を備えた放送受信装置であって、
前記放送番組を受信して復調する受信手段と、
前記復調された放送番組の受信電界強度を検出し、前記検出された受信電界強度が所定値を越えたときに、前記放送番組に含まれる放送ジャンル識別情報が視聴を希望する放送ジャンルと一致するか否かを判定し、一致したときに前記放送局データを前記プリセットメモリに優先的に格納し、受信可能な周波数帯域における全ての周波数に基づくサーチが終了したことを契機に、前記プリセットメモリに格納された放送局データを電界強度の高い順に並べ替えて更新し、前記更新されたプリセットメモリに格納された放送局データに従い選局を行う制御手段と、
を備えたことを特徴とする放送受信装置。
【請求項２】
ユーザによって選択入力される視聴を希望する放送ジャンルを取込んで前記制御手段へ供給し、前記オートストア機能の実行を起動する入力手段、
を更に備えたことを特徴とする請求項１に記載の放送受信装置。
【請求項３】
前記制御手段は、
前記周波数帯域内における受信周波数を順次変更して前記受信手段を制御する受信周波数設定部と、
前記受信周波数毎、受信電界強度を検出する電界強度検出部と、
前記電界強度検出部により検出された受信電界強度が所定値を越えたときに、前記受信手段により復調される放送局データに含まれる放送ジャンル識別情報を検出する放送ジャンル識別情報検出部と、
前記検出された放送ジャンル識別情報が、視聴を希望する放送ジャンルと一致するか否かを判定し、一致したときに前記放送局データを前記プリセットメモリに優先的に格納し、前記受信可能な周波数帯域における全ての周波数に基づくサーチが終了したことを契機に、前記プリセットメモリに格納された放送局データを受信電界強度が高い順に並べ替えて更新するメモリ制御部と、
前記メモリ制御部から出力される前記更新された放送局データに基づき前記受信周波数設定部を制御して選局を行う主制御部と、
を備えたことを特徴とする請求項１に記載の放送受信装置。
【請求項４】
前記プリセットメモリは、第１と第２のメモリ領域が割り当てられる中間メモリと、最終メモリとから成り、前記メモリ制御部は、
前記検出された放送ジャンル識別情報が、視聴を希望する放送ジャンルと一致すると判定したとき、前記放送局データを前記第１のメモリの第１の領域に格納し、不一致と判定されたとき、前記放送局データを前記第１のメモリの第２のメモリ領域に格納するとともに、前記第１のメモリに格納された放送局データの累積容量が、前記第１のメモリが持つメモリ容量を越えたとき、既に格納済みの放送データ中、受信電界強度が最小の放送データと、新たに格納する放送局データが持つ受信電界強度と比較し、一方を破棄して他方を格納することを特徴とする請求項３に記載の放送受信装置。
【請求項５】
前記メモリ制御部は、
前記第１のメモリにおける第１のメモリ領域から読み出された放送局データを受信電界強度が高い順に並べ替え、それぞれに順次識別情報を付与して前記最終メモリへ転送し、前記最終メモリに空きがある場合、前記第１のメモリにおける第２のメモリ領域から読み出された放送局データを受信電界強度が高い順に並べ替え、それぞれに順次識別情報を付与して前記最終メモリへ転送することを特徴とする請求項４に記載の放送受信装置。
【請求項６】
前記最終メモリに格納された放送局データを読出して外部接続される表示装置に表示してユーザに選局操作を促し、ユーザが外部接続される入力装置を操作することによって取得される前記識別情報を前記主制御部へ出力することを特徴とするユーザインタフェース部、
を備えたことを特徴とする請求項３〜５のいずれか１項に記載の放送受信装置。
【請求項７】
前記主制御部は、
前記最終メモリから前記メモリ制御部を介して読み出される最上位に位置する識別情報に対応する受信周波数を前記受信周波数設定部に設定することを特徴とする請求項３〜５のいずれか１項に記載の放送受信装置。
【請求項８】
前記主制御部は、
前記最終メモリに転送された放送局データに含まれる放送ジャンル識別情報のうち、最多の放送ジャンル情報を前記視聴したい放送ジャンルとして前記メモリ制御部へ出力することを特徴とする請求項３に記載の放送受信装置。
【請求項９】
前記主制御部は、
前記選局を行う都度、前記選局に使用された放送局データに含まれる放送ジャンル識別情報を履歴として記録し、前記履歴を参照して使用頻度の高い放送ジャンル識別情報を、前記視聴を希望する放送ジャンルとして前記メモリ制御部へ出力することを特徴とする請求項３に記載の放送受信装置。
【請求項１０】
放送番組に放送ジャンル識別情報が多重化されて放送される多重放送に関し、受信可能な周波数帯内で受信周波数を順次変更し、受信状態の良好な放送局を順次サーチしてプリセットメモリに格納する放送受信装置に用いられるオートストア制御方法であって、
前記放送番組を受信して復調するステップと、
前記復調された放送番組の受信電界強度を検出し、前記検出された受信電界強度が所定値を越えたときに、前記放送番組に含まれる放送ジャンル識別情報が視聴を希望する放送ジャンルと一致するか否かを判定するステップと、
前記判定結果、一致したときに前記放送局データを前記プリセットメモリに優先的に格納するステップと、
前記受信可能な周波数帯域における全ての周波数に基づくサーチが終了したことを契機に、前記プリセットメモリに格納された放送局データを電界強度の昇順に並べ替えて更新するステップと、
前記更新されたプリセットメモリに格納された放送局データに従い選局を行うステップと、
を有することを特徴とする放送受信装置におけるオートストア制御方法。
【発明の詳細な説明】
【技術分野】
【０００１】
この発明は、ユーザが視聴を希望する放送ジャンルの放送局に優先権を与えてオートストア機能を実行する、放送受信装置および同装置におけるオートストア制御方法に関するものである。
【背景技術】
【０００２】
副搬送波に放送内容のジャンルを識別可能なコードを重畳してラジオ放送を行う放送形態が知られている。例えば、欧州で広く普及しているＦＭ多重放送であるラジオデータシステム（ＲＤＳ）、米国におけるラジオブロードキャストデータシステム（ＲＢＤＳ）、ディジタルオーディオブロードキャスティング（ＤＡＢ）等である。
放送局データの中には、プログラムのジャンルを識別する放送ジャンル識別コード（以下ＰＴＹコードという）が含まれており、このＰＴＹコードとして、例えば、クラッシック、ロック、ポピュラー、ニュース等の放送ジャンル毎に個別のコードが付与されている。
【０００３】
ところで、カーラジオ受信装置には、受信可能な周波数帯内で受信状態の良好な放送局を順次サーチしてプリセットメモリに格納する機能（以下、オートストア機能という）が備えられていることが多い。このオートストア機能によれば、受信電界強度が高い順に放送局データをプリセットメモリに蓄積し、このプリセットメモリに蓄積された放送局データをユーザに提供することができる。
ところが上記したオートストア機能によれば、受信電界強度が高い順に受信可能な放送局データが蓄積される関係上、ユーザが所望するジャンルを放送していることが識別できない放送局や、明かに所望するジャンル以外の放送局ばかりが蓄積されることがある。
【０００４】
このような不具合を回避するために、オートストア指令を検出すると、ＰＴＹコードが“０”または未定義以外の放送局を優先してプリセットメモリに蓄積し、放送ジャンルが特定できる放送局データを優先的に蓄積する技術が知られている。（例えば、特許文献１参照）。
また、ユーザによって選択された放送ジャンル以外の放送局データを蓄積することを禁止する技術も知られている（例えば、特許文献２参照）。
【特許文献１】特許第３５４４１７号公報（段落「００１１」、図２）
【特許文献２】特開２００３−２１８７２１号公報（段落「０００９」〜「００１６」、図１）
【発明の開示】
【発明が解決しようとする課題】
【０００５】
上記した特許文献１に開示された技術によれば、ＰＴＹコードは識別できるが、ユーザに提供するオートストアの結果に識別したＰＴＹコードを一切利用しないため、ユーザが希望するジャンルの放送局をメモリに蓄積されないといった不都合があった。
また、特許文献２に開示された技術によっても、予め選択された希望のＰＴＹコードを有する放送局データのみをメモリへの蓄積対象とした場合、希望のＰＴＹコードを有する放送局が受信できない場合があり、他のＰＴＹコードを有する受信可能な放送局があっても全く放送局がオートストアされないことがあった。
【０００６】
この発明は上記のような課題を解決するためになされたものであり、プリセットメモリを有効に使用することで、プリセットメモリにユーザが希望する放送ジャンルの放送局データを優先的に蓄積し、ユーザに利便性を提供する、放送受信装置および同装置におけるオートストア制御方法を得ることを目的とする。
【課題を解決するための手段】
【０００７】
この発明にかかわる放送受信装置は、放送番組を受信して復調する受信手段と、前記復調された放送番組の受信電界強度を検出し、前記検出された受信電界強度が所定値を越えたときに、前記放送番組に含まれる放送ジャンル識別情報が視聴を希望する放送ジャンルと一致するか否かを判定し、一致したときに前記放送局データを前記プリセットメモリに優先的に格納し、受信可能な周波数帯域における全ての周波数に基づくサーチが終了したことを契機に、前記プリセットメモリに格納された放送局データを電界強度の高い順に並べ替えて更新し、前記更新されたプリセットメモリに格納された放送局データに従い選局を行う制御手段と、を備えたものである。
【０００８】
また、この発明にかかわる放送受信装置におけるオートストア制御方法は、放送番組を受信して復調するステップと、前記復調された放送番組の受信電界強度を検出し、前記検出された受信電界強度が所定値を越えたときに、前記放送番組に含まれる放送ジャンル識別情報が視聴を希望する放送ジャンルと一致するか否かを判定するステップと、前記判定結果、一致したときに、前記放送局データを前記プリセットメモリに優先的に格納するステップと、前記受信可能な周波数帯域における全ての周波数に基づくサーチが終了したことを契機に、前記プリセットメモリに格納された放送局データを電界強度の昇順に並べ替えて更新するステップと、前記更新されたプリセットメモリに格納された放送局データに従い選局を行うステップと、を有するものである。
【発明の効果】
【０００９】
この発明によれば、プリセットメモリを有効に制御することにより、プリセットメモリにユーザが希望する放送ジャンルの放送局を優先的に蓄積でき、ユーザに利便性を提供することができる。
【発明を実施するための最良の形態】
【００１０】
実施の形態１．
図１は、この発明の実施の形態１にかかわる放送受信装置の内部構成を示すブロック図である。ここでは、放送受信装置として、欧州で広く普及しているＦＭ多重放送を受信するＲＤＳ受信装置が例示されている。
【００１１】
この発明の実施の形態１にかかわる放送受信装置は、放送番組を受信して復調する受信手段１と、復調された放送番組の受信電界強度を検出し、検出された受信電界強度が所定値を越えたときに、放送番組に含まれる放送ジャンル識別情報（以下、ＰＴＹコードという）が視聴を希望する放送ジャンル（以下、優先ＰＴＹという）と一致するか否かを判定し、一致したときに、その放送局データをプリセットメモリ２に優先的に格納し、受信可能な周波数帯域における全ての周波数に基づくサーチが終了したことを契機に、プリセットメモリ２に格納された放送局データを電界強度の高い順に並べ替えて更新し、更新されたプリセットメモリ２に格納された放送局データに従い選局を行う制御手段３と、ユーザによって選択入力される優先ＰＴＹコードを取込んで制御手段３へ供給し、オートストア機能の実行を起動する入力手段４と、プリセットメモリ２に格納された放送局データを表示する表示手段５とで構成される。
【００１２】
上記した受信手段１は、アンテナ１１と、放送受信部１２と、放送局データ復調部１３とで構成される。
放送受信部１２は、アンテナ１１を介して複数の放送局から放送波を選択的に受信しており、放送局データ復調部１３は、放送受信部１２が放送波を受信すると、放送局データを復調して制御手段３に出力する。
【００１３】
プリセットメモリ２は、中間メモリ２１と、最終メモリ２２とから成る。中間メモリ２１には、メモリ領域Ａ（２１１：第１のメモリ領域）と、メモリ領域Ｂ（２１２：第２のメモリ領域）とが割り当てられ、制御手段３において検出された放送ジャンル識別情報が、優先ＰＴＹコードと一致すると判定されたとき、その放送局データはメモリ領域Ａ（２１１）に優先的に格納され、不一致と判定されたとき、その放送データはメモリ領域Ｂ（２１２）に格納される。
最終メモリ２２には、制御手段３による制御の下、中間メモリ２１のメモリ領域Ａ（２１１）から読み出された放送局データが受信電界強度の高い順（昇順）に並べ替えられ、それぞれに、順次、識別情報（オートストア番号）が付与され、それら内容が転送され格納される。また、最終メモリ２２に空きがある場合、中間メモリ２１におけるメモリ領域Ｂ（２１２）から読み出された放送局データが受信電界強度昇順に並べ替えられ、それぞれに、順次、オートストア番号が付与され、それら内容が転送され格納される。
【００１４】
制御手段３は、受信周波数設定部３１と、電界強度検出部３２と、放送ジャンル識別情報検出部３３（ＰＴＹコード検出部３３という）と、メモリ制御部３４と、ユーザインタフェース部３５（以下、ＵＩ部３５という）と、主制御部３６とで構成される。
【００１５】
受信周波数設定部３１は、周波数帯域内における受信周波数を順次変更して受信手段１の放送受信部１２を制御する。また、電界強度検出部３２は、受信周波数毎、受信電界強度を検出してＰＴＹコード検出部３３を起動するとともに、メモリ制御部３４へ出力する。
また、ＰＴＹコード検出部３３は、電界強度検出部３２により検出された受信電界強度が所定値を越えたときに、受信手段１の放送データ復調部１３により復調される放送局データに含まれるＰＴＹコードを検出してメモリ制御部３４へ出力する。
【００１６】
メモリ制御部３４は、ＰＴＹコード検出部３３で検出されたＰＴＹコードが、入力手段４により入力される優先ＰＴＹコードと一致するか否かを判定し、一致したときにその放送局データをプリセットメモリ２に優先的に格納し、受信可能な周波数帯域における全ての周波数に基づくサーチが終了したことを契機に、プリセットメモリ２に格納された放送局データを受信電界強度昇順に並べ替えて更新し、主制御部３６および表示手段５へ出力する。
【００１７】
メモリ制御部３４はまた、ＰＴＹコード検出部３３で検出されたＰＴＹコードが優先ＰＴＹコードと一致すると判定したとき、放送局データを中間メモリ２１メモリ領域Ａ（２１１）に格納し、不一致と判定したとき、その放送局データを中間メモリ２１のメモリ領域Ｂ（２１２）に格納する。また、中間メモリ２１に格納された放送局データの累積容量が、中間メモリ２１が持つメモリ容量を越えたとき、既に格納済みの放送データ中、受信電界強度が最小の放送データと、新たに格納する放送局データが持つ受信電界強度とを比較し、一方を破棄して他方を格納する。
メモリ制御部３４はさらに、中間メモリ２１におけるメモリ領域Ａ（２１１）から読み出された放送局データを受信電界強度昇順に並べ替え、それぞれにプリセット番号を付与して最終メモリ２２へ転送し、最終メモリ２２に空きがある場合、中間メモリ２１におけるメモリ領域Ｂ（２１２）から読み出された放送局データを受信電界強度昇順に並べ替え、それぞれに順次プリセット番号を付与して最終メモリ２２へ転送する。
【００１８】
ＵＩ部３５は、プリセットメモリ２（最終メモリ２２）に格納された放送局データを読出して外部接続される表示手段５に表示してユーザに選局操作を促し、ユーザが外部接続される入力手段４を操作することによって取得されるプリセット番号を主制御部３６に出力する。
また、主制御部３６は、メモリ制御部３４から出力される更新された放送局データに基づき受信周波数設定部３１を制御して選局を行う。具体的に、主制御部３６は、プリセットメモリ２（最終メモリ２２）からメモリ制御部３４を介して読み出される、最上位に位置するプリセット番号に対応する受信周波数を受信周波数設定部３１に設定する。主制御部３６はまた、プリセットメモリ２（最終メモリ２２）に転送された放送局データに含まれるＰＴＹコードのうち、最多のＰＴＹコードを優先ＰＴＹとしてメモリ制御部３４へ出力する。
【００１９】
主制御部３６はさらに、選局を行う都度、選局に使用された放送局データに含まれるＰＴＹコードを履歴として内蔵の履歴メモリ（図示せず）に保存し、保存された履歴を参照して使用頻度の高いＰＴＹコードを、優先ＰＴＹとしてメモリ制御部３４へ出力する機能もあわせ持つ。
【００２０】
なお、入力手段４には、プリセットメモリ２に格納された放送局データ（受信周波数）に対応した放送番組をワンタッチで選択受信するプリセットキーと、複数のＰＴＹから視聴を希望するＰＴＹコードを選択するＰＴＹ選択キーとが配置されているものとする。
【００２１】
上記構成において、制御手段３の受信周波数設定部３１は、主制御部３６の制御下で受信手段１の放送受信部１２に対して受信周波数を設定しており、このことにより、放送受信部１２は、設定された受信周波数の放送波を受信することになる。
続いて、ユーザが入力手段４に割り付けられたプリセットキーを操作することによって所望の放送局を選局すると、制御手段３の主制御部３６によって所望の放送局にかかわる周波数が受信周波数設定部３１に与えられ、受信周波数設定部３１によって放送受信部１２に受信周波数が設定される。
【００２２】
一方、電界強度検出部３２では、受信周波数の受信電界強度を検出しており、受信電界強度が予め規定された値を超えると、この受信電界強度をメモリ制御部３４に出力する。また、ＰＴＹコード検出部３３は、受信手段１の放送局データ復調部１３によって出力された放送局データ中のＰＴＹコードを検出して、このＰＴＹコードをメモリ制御部３４に出力する。
メモリ制御部３４は、ユーザが入力手段４に割り付けられたオートストアキーを操作することによりＵＩ部３５によって取込まれ、主制御部３６によって生成されるオートストア指令が与えられた場合、後述するように、一旦、放送局データをプリセットメモリ２の中間メモリ２１に格納した後、この中間メモリ２１に格納された放送局データを並べ替え、オートストアデータとして最終メモリ２２に転送し、格納する。そして最終メモリ２２に格納された放送局データはメモリ制御部３４によって読み出されて表示手段５に表示され、以後、主制御部３６は選局を行うことになる。
【００２３】
なお、ここでは、中間メモリ２１を領域分け（メモリ領域Ａ、メモリ領域Ｂ）して使用しているが、必須ではなく、それぞれ独立して存在しても良い。また、中間メモリ２１と最終メモリ２２を区別して説明したが、１個のメモリチップで領域分けして使用しても良く、実装上の制限はないものとする。
【００２４】
図２は、この発明の実施の形態１にかかわる放送受信装置の動作を説明するために引用したフローチャートである。図２にはまた、この発明の放送受信装置におけるオートストア制御方法の手順もあわせて示されている。
以下、図２に示すフローチートを参照しながら、図１に示すこの発明の実施の形態１にかかわる放送受信装置の動作を詳細に説明する。
【００２５】
ユーザが入力手段４（ＰＴＹ選択キー）を操作して、あるＰＴＹコード（例えば、ボピュラー）を優先ＰＴＹコードとして選択し、更に、入力手段４に割り当てられたオートストアキーを押下すると、制御手段３は、ボピュラーを優先ジャンルとして取込むオートストア動作を開始する。
このことにより、主制御部３６は、メモリ制御部３４に優先ＰＴＹを含むオートストア指令を出力するとともに、受信周波数設定部３１を制御して放送受信部１２の受信周波数を順次変更して受信する周波数を変更する。
【００２６】
一方、電界強度検出部３２は、受信周波数毎に電界強度を検出して、受信可能な放送局であるか否かを判定するために所定値（閾値）と比較する（ステップＳＴ２１）。ここで、受信電界強度が所定値を超えたとき、電界強度検出部３２は、ＰＴＹコード検出部３３を起動するとともに、その電界強度をメモリ制御部３４へ出力する。
また、起動されたＰＴＹコード検出部３３は、受信手段１の放送局データ変調部１３から出力される放送局データからＰＴＹコードを検出してメモリ制御部３４へ出力する（ステップＳＴ２２）。このことにより、メモリ制御部３４には、主制御部３６により制御され、受信周波数設定部３１により設定された周波数、電界強度検出部３２で検出された電界強度、そして、ＰＴＹコード検出部３３で検出されたＰＴＹコードの３つのパラメータが供給されることになる。
【００２７】
このことにより、メモリ制御部３４は、放送局データ中に含まれるＰＴＹコードが優先ＰＴＹコードであるか否かを判定し（ステップＳＴ２３）、優先ＰＴＹコードであると判定されたとき（ステップＳＴ２３“ＹＥＳ”）、受信した放送局データをプリセットメモリ２に割り付けられた中間メモリ２１のメモリ領域Ａ（２１１）に格納する（ステップＳＴ２４）。
一方、優先ＰＴＹコードでないと判定されたとき（ステップＳＴ２３“ＮＯ”）、メモリ制御部３４は、受信した放送局データを中間メモリ２１中のメモリ領域Ｂ（２１２）に格納する（ステップＳＴ２５）。なお、ステップＳＴ２２でＰＴＹコードが検出できなかった場合は（ステップＳＴ２２“ＮＯ”）、周波数と電界強度のみが放送局データとして、中間メモリ２１のメモリ領域Ｂ（２１２）に格納する。
【００２８】
なお、通常、メモリ容量は有限であるため、メモリ容量がフルである場合は、既に格納されている放送局データの中で最小の電界強度値と、新しく格納候補となる放送局データの電界強度値とを比較して、小さい電界強度値を持つ放送局データを消去し、大きい電界強度値を持つ放送局データを格納することとする。
【００２９】
そして、主制御部３６は、受信周波数設定部３１を制御して受信手段１の放送受信部１２の受信周波数を順次変更し、全周波数についてサーチが完了したか否かを判定し（ステップＳＴ２６）、サーチが完了したときは（ステップＳＴ２６“ＹＥＳ”）、そのことをメモリ制御部３４に報知する。
メモリ制御部３４は、受信可能な周波数帯域における全ての周波数に基づくサーチが終了したことを契機に、中間メモリ２１に格納された放送局データを最終メモリ２２へ転送し、格納する（ステップＳＴ２７）。
【００３０】
図３は、図２に示すステップＳＴ２７（最終メモリへ転送）の詳細な手順を説明するために引用したフローチャートである。
以下、図３に示すフローチャートを参照しながら、中間メモリ２１から最終メモリ２２への放送局データの転送処理について詳細に説明する。
【００３１】
メモリ制御部３４では、中間メモリ２１のメモリ領域Ａ（２１１）に格納された放送局データ、つまりＰＴＹコードが優先ＰＴＹのボピュラーである放送局のデータを読み出して（ステップＳＴ２７１）、これら放送局データについて受信電界強度昇順に並べ替え（ステップＳＴ２７２）、電界強度の高いものから順にオートストア番号“１”、“２”、…を付与する（ステップＳＴ２７３）。
この時点でプリセットメモリ２の最終メモリ２２に登録する放送局数が埋まらない場合は（ステップＳＴ２７４“ＮＯ”）、続いて中間メモリ２１のメモリ領域Ｂ（２１２）に格納された放送局データ、つまり優先ＰＴＹコードを持たない放送局のデータを読み出す（ステップＳＴ２７５）。そして、これら放送局データについて電界強度昇順に並べ替え（ステップＳＴ２７２）、オートストア番号を付与して（ステップＳＴ２７３）、放送局データテーブル（放送局データの集合）を更新し、最終メモリ２２への登録放送局数がフルになった時点で終了する。
【００３２】
図４は、この発明の実施の形態１にかかわる放送受信装置の最終メモリに格納された放送局データテーブルのデータ構造の一例を示す図である。
放送局データテーブルには、オートストア番号、電界強度、およびＰＴＹコードがデータ項目として割り付けられており、オートストア番号は放送局周波数に対応付けられている。図４に示す例では、オートストア番号“１”から“７”までが中間メモリ２１のメモリ領域Ａ（２１１）に格納された放送局データであり、オートストア番号“８”から“１０”までがメモリ領域Ｂ（２１２）に格納された放送局データである。
【００３３】
なお、最終メモリ２２は、ここでは１０局分の放送局データを格納できる容量を有しており、中間メモリ２１のメモリ領域Ａ（２１１）に格納された放送局数が１０個以上である場合は、優先ＰＴＹコードがポピュラーである放送局データ１０個が最終メモリ２２に格納されることになる。一方、中間メモリ２１のメモリ領域Ａ（２１１）に格納された放送局数が９個以下である場合、電界強度の高いものから順次ＰＴＹコードがポピュラーである放送局データが最終メモリ２２に格納され、その後、中間メモリ２１のメモリ領域Ｂ（２１２）に格納されたＰＴＹコードがポピュラーでない放送局データが電界強度の高い順に、最終メモリ２２内の全放送局データの個数が１０個になるまで格納されることになる。このように、最終メモリ２２には常に１０個、あるいは、受信可能な放送局の個数分の放送局データが格納されることになる。
【００３４】
一方、メモリ制御部３４が、上記したオートストアが完了したことを表示手段５に報知すると、表示手段５はメモリ制御部３４を介してプリセットメモリ２の最終メモリ２２に格納された放送局データテーブルを読出して表示する。
このとき、表示画面には、オートストア番号に対応付け、例えば、放送局名が表示される。そして、ユーザは、表示手段５に表示された放送局データを参照して、入力手段４（選局キー）を操作することにより選局を行うと、つまり、放送データの設定順（上位から）にオートストア番号を入力すると、主制御部３６はメモリ制御部３４を介してそのオートストア番号に対応する放送局周波数を受信周波数として受信周波数設定部３１を制御して受信手段１の放送受信部１２に設定する。このことにより、放送受信部１２は入力手段４から入力されたオートストア番号を有する放送局の放送番組波を受信することになる。なお、オートストアが完了した後、主制御部３６がメモリ制御部３４を介してオートストア番号１に対応する放送局周波数を受信周波数として受信周波数設定部３１を介して放送受信部１２に設定するようにしてもよい。
【００３５】
なお、上記したこの発明の実施の形態１によれば、欧州で広く普及しているＲＤＳ受信装置を例示したが、副搬送波に放送番組のジャンルを識別できるコードを持つ、米国のＲＢＤＳ、ＤＡＢ等においても同様に適用できる。
また、優先ＰＴＹコードはユーザが入力手段４からＰＴＹ選択キーを操作することにより設定する例について説明したが、プリセット局にストアされた放送局中、最も多いＰＴＹコードを優先ＰＴＹとしてよく、また、過去のＰＴＹサーチの履歴から優先ＰＴＹを決定してもよい。このように、ユーザが特別意識することなく、間接的に取得可能な情報であれば他に何を利用しても良いため、特別な操作を必要とすることなくオートストア機能の実装が可能となり、ユーザの負担が軽減され、利便性を提供することができる。更に、優先ＰＴＹを１個のみ設定する例についてのみ説明したが、複数の優先ＰＴＹの設定ができるようにしてもよく、また、複数の優先ＰＴＹ間でさらに優先順位が設定できるようにしてもよい。
【００３６】
また、上記したこの発明の実施の形態１によれば、ユーザが希望する放送ジャンルか否かの判定についてＰＴＹコードを利用したが、入力手段４によりユーザに交通情報受信設定が提供されている場合には、交通情報放送局の識別コード（ＴＰ）、交通情報放送中の識別コード（ＴＡ）を判定に使用してもよい。
図５に、この場合制御手段３により生成される放送局データテーブルの一例が示されている。ここでは、ＴＡコードによる交通情報と、ＰＴＹコードによるポビュラーとを組み合わせて優先的にオートストアを実行する例が示されている。
【００３７】
以上説明のように、この発明の実施の形態１によれば、ユーザが希望する放送ジャンルの放送局に優先権を与えてオートストア処理を行うことができる。このことにより、プリセットメモリ２には、希望しない放送ジャンルの放送局ではなく、ユーザが所望する放送ジャンルの放送局が優先的に格納される。また、ユーザが希望する放送ジャンルの放送局数が少ない場合でも、受信可能な放送局を排除しないため、プリセットメモリ２が持つメモリ容量に応じた放送局数分の放送データを格納することができる。更に、ユーザが交通情報受信設定を行っていた場合は、交通情報受信中の放送局を優先的に格納でき、利便性を増すことができる。
【図面の簡単な説明】
【００３８】
【図１】この発明の実施の形態１にかかわる放送受信装置の内部構成を示すブロック図である。
【図２】この発明の実施の形態１にかかわる放送受信装置の動作を説明するために引用したフローチャートである。
【図３】この発明の実施の形態１にかかわる放送受信装置の動作を説明するために引用したフローチャートである。
【図４】この発明の実施の形態１にかかわる放送受信装置の最終メモリに格納された放送局データテーブルのデータ構造の一例を示す図である。
【図５】この発明の実施の形態１にかかわる放送受信装置の最終メモリに格納された放送局データテーブルのデータ構造の他の例を示す図である。
【符号の説明】
【００３９】
１  受信手段、２  プリセットメモリ、３  制御手段、４  入力手段、５  表示手段、２１  中間メモリ、２２  最終メモリ、３１  受信周波数設定部、３２  電界強度検出部、３３  放送ジャンル識別情報（ＰＴＹコード）検出部、３４  メモリ制御部、３５  ユーザインタフェース（ＵＩ）部、３６  主制御部。
【図１】
2007243708.tif 000003
【図２】
2007243708.tif 000004
【図３】
2007243708.tif 000005
【図４】
2007243708.tif 000006
【図５】
2007243708.tif 000007